(57)【要約】【目的】  本発明は、磁石を有する新規な照明装置およびこれを備えた照明ユニットを提供する。【構成】  照明装置Ｉは、透光部１１０が設けられた筐体１００と、第１磁石２１０と、第２磁石２２０とを備えている。筐体１００の外面は、第１吸着面１２１および第２吸着面１２２を有している。第１吸着面１２１は透光部１１０の裏側に位置している。第２吸着面１２２は第１吸着面１２１に対して傾斜している。第１磁石２１０は、筐体１１０の第１吸着面１２１の内側に配置されている。第２磁石２２０は、筐体１００の第２吸着面１２２の内側に配置されていている。【選択図】      図１
2019046568.tif 000002
【特許請求の範囲】
【請求項１】
透光部が設けられた筐体であって、前記筐体の外面が第１吸着面および第２吸着面を有しており、前記第１吸着面は前記透光部の裏側に位置しており、且つ前記第２吸着面が前記第１吸着面に対して傾斜している、前記筐体と、
前記筐体の前記第１吸着面の内側に配置された第１磁石と、
前記筐体の前記第２吸着面の内側に配置された第２磁石とを備えている照明装置。
【請求項２】
透光部が設けられた筐体であって、前記筐体の外面が第１吸着面および第２吸着面を有しており、前記第１吸着面は前記透光部の裏側に位置しており、前記第２吸着面が前記第１吸着面に対して傾斜している、前記筐体と、
前記筐体に設けられており且つ前記第１吸着面を有する第１磁石と、
前記筐体に設けられており且つ前記第２吸着面を有する第２磁石とを備えている照明装置。
【請求項３】
請求項１または２記載の照明装置において、
前記第１吸着面は、第１方向およびこれに直交する第２方向に広がりを持っており、
前記第１吸着面は、前記透光部に対して第３方向の一方側に位置しており、前記第３方向は、前記第１方向および前記第２方向に交差しており、
前記第２吸着面は、前記第１吸着面に対して前記第２方向の一方側に位置しており、且つ前記第３方向の他方の方向および前記第２方向の一方の方向の成分を含む斜め方向に延びている照明装置。
【請求項４】
請求項１または２記載の照明装置において、
前記第２吸着面は、一対であり、前記透光部側に互いに離れるように傾斜している照明装置。
【請求項５】
請求項１〜４の何れかに記載の照明装置において、
前記第２吸着面は、前記第１吸着面から延びており、
前記第１磁石および前記第２磁石が一体化されている照明装置。
【請求項６】
請求項１〜５の何れかに記載の照明装置を複数備えており、
この複数の照明装置は、第１照明装置および第２照明装置を含んでおり、
前記第１照明装置の前記第１吸着面と前記第２照明装置の前記第１吸着面とが互いに吸着可能であり、前記第１照明装置の前記第２吸着面と前記第２照明装置の前記第２吸着面とが互いに吸着可能である照明ユニット。
【請求項７】
請求項４記載の複数の照明装置を備えており、
この複数の照明装置のうちの隣り合う照明装置の前記第２吸着面同士が互いに吸着させることによって、当該複数の照明装置が環状に配置される照明ユニット。
【発明の詳細な説明】
【技術分野】
【０００１】
本発明は、照明装置およびこれを備えた照明ユニットに関する。
【背景技術】
【０００２】
従来の照明装置が下記特許文献１に記載されている。この照明装置の筐体内部には磁石が設けられている。この磁石によって、当該照明装置を金属板に吸着させることができる。
【先行技術文献】
【特許文献】
【０００３】
【特許文献１】実用新案登録３００２４９０号公報
【発明の概要】
【発明が解決しようとする課題】
【０００４】
本発明は、磁石を有する新規な照明装置およびこれを備えた照明ユニットを提供する。
【課題を解決するための手段】
【０００５】
上記課題を解決するために、本発明の一態様の照明装置は、透光部が設けられた筐体と、第１磁石と、第２磁石とを備えている。筐体の外面は、第１吸着面および第２吸着面を有している。第１吸着面は透光部の裏側に位置している。第２吸着面は第１吸着面に対して傾斜している。第１磁石は、筐体の第１吸着面の内側に配置されていても良いし、筐体に設けられており且つ第１吸着面を有していても良い。第２磁石は、筐体の第２吸着面の内側に配置されていても良いし、筐体に設けられており且つ第２吸着面を有していても良い。
【０００６】
このような態様の照明装置による場合、第１吸着面を磁性体に吸着させることができるだけでなく、第２吸着面を磁性体に吸着させることができる。よって、本照明装置は、第１吸着面を磁性体に吸着させた場合と第２吸着面を磁性体に吸着させた場合とで透光部の向きを変えることができる。しかも、複数の本照明装置の第１吸着面同士を吸着させたり、第２吸着面同士を吸着させたりすることによって、複数の本照明装置の組み合わせを変えることができる。
【０００７】
第１吸着面は、第１方向およびこれに直交する第２方向に広がりを持った構成としても良い。第１吸着面は、透光部に対して第３方向の一方側に位置していても良い。第３方向は、第１方向および第２方向に交差していると良い。第２吸着面は、第１吸着面に対して第２方向の一方側に位置しており、且つ第３方向の他方の方向および第２方向の一方の方向の成分を含む斜め方向に延びた構成とすることが可能である。
【０００８】
第２吸着面は一対とすることが可能である。一対の第２吸着面は透光部側に互いに離れるように傾斜した構成とすることが可能である。
【０００９】
第２吸着面は第１吸着面から延びていても良い。この場合、第１磁石および第２磁石が一体化されていても良い。このような態様の照明装置による場合、第１磁石および第２磁石が一体化されているので、照明装置の部品点数の低減を図ることができる。
【００１０】
本発明の一態様の照明ユニットは、上記した何れかの態様の照明装置を複数備えている。この複数の照明装置は、第１照明装置および第２照明装置を含んでいる。第１照明装置の第１吸着面と第２照明装置の第１吸着面とが互いに吸着可能であり、第１照明装置の第２吸着面と第２照明装置の第２吸着面とが互いに吸着可能になっている。このような態様の照明ユニットによる場合、第１照明装置の第１吸着面と第２照明装置の第１吸着面とを吸着させたり、第１照明装置の第２吸着面と第２照明装置の第２吸着面とを吸着させたりすることによって、第１照明装置と第２照明装置との組み合わせを変えることができる。
【００１１】
本発明の別の態様の照明ユニットは、上記した何れかの態様の照明装置を複数備えている。この複数の照明装置のうちの隣り合う照明装置の第２吸着面同士が互いに吸着させることによって、当該複数の照明装置が環状に配置されるようになっている。このような態様の照明ユニットによる場合、複数の照明装置を環状に配置した状態でユニット化することができる。
【図面の簡単な説明】
【００１２】
【図１】本発明の実施例１に係る照明装置の斜視図である。
【図２】前記照明装置の正面図である。
【図３】前記照明装置の背面図である。
【図４】前記照明装置の平面図である。
【図５】前記照明装置の底面図である。
【図６】前記照明装置の右側面図である。
【図７】前記照明装置の左側面図である。
【図８】前記照明装置を二つ組み合わせた状態を示す斜視図である。
【図９】前記照明装置を四つ組み合わせた状態を示す斜視図である。
【発明を実施するための形態】
【００１３】
以下、本発明の種々の実施例について説明する。
【実施例１】
【００１４】
以下、本発明の実施例１を含む複数の実施例に係る照明装置Ｉについて図１〜図９を参照しつつ説明する。図１に示すＺ−Ｚ’方向は照明装置Ｉの高さ方向であって特許請求の範囲の第１方向に相当し、Ｘ−Ｘ’方向は照明装置Ｉの幅方向であって特許請求の範囲の第２方向に相当し、Ｙ−Ｙ’方向は照明装置Ｉの前後方向であって特許請求の範囲の第２方向に相当する。
【００１５】
照明装置Ｉは筐体１００を備えている。この筐体１００は、透光部１１０と、筐体本体１２０とを有している。透光部１１０は、筐体本体１２０のＹ方向側の部分に設けられていると良い。図１〜図９では、透光部１１０は平面視において略Ｖ字状であるが、これに限定されるものではない。例えば、透光部１１０は、筐体本体１２０のＹ方向側の部分に設けられたフラットやドーム状であっても良い。
【００１６】
筐体本体１２０と透光部１１０によって筐体１００の収容空間が区画されている。筐体１００の収容空間内に図示しない発光部が設けられている。発光部は、透光部１１０を通じて筐体１００外に光を出射可能となっている。また、筐体１００の収容空間内には、照明装置Ｉの電気回路などの部品も収容されている。
【００１７】
筐体本体１２０の外面（すなわち、筐体１００の外面）は、少なくとも一つの第１吸着面１２１と、一対の第２吸着面１２２とを有している。少なくとも一つの第１吸着面１２１は、筐体本体１２０のＹ’方向側の面の少なくとも一部であって、透光部１１０の裏側（Ｙ’方向側）に位置している。すなわち、少なくとも一つの第１吸着面１２１は、筐体本体１２０のＹ’方向側の面の全領域であっても良いし、一部の領域であっても良い。少なくとも一つの第１吸着面１２１は、Ｚ−Ｚ’方向およびＸ−Ｘ’方向に広がりを持つ面である。
【００１８】
一対の第２吸着面１２２は、Ｘ方向側の第２吸着面１２２と、Ｘ’方向側の第２吸着面１２２を含む。Ｘ方向側の第２吸着面１２２は、筐体本体１２０の外面のＸ方向側の傾斜面（以下、第１傾斜面と称する。）であり、Ｘ’方向側の第２吸着面１２２は、筐体本体１２０の外面のＸ’方向側の傾斜面（以下、第２傾斜面と称する。）である。一対の第２吸着面１２２は透光部１１０側（Ｙ方向側に）互いに離れるように傾斜している。
【００１９】
例えば、少なくとも一つの第１吸着面１２１および一対の第２吸着面１２２は、下記１）〜４）の何れかの構成をさらに有する構成とすることが可能である。
【００２０】
１）図１〜図９に示されるように、第１吸着面１２１および第２吸着面１２２の双方が一対である。一対の第１吸着面１２１は、Ｘ方向側の第１吸着面１２１と、Ｘ’方向側の第１吸着面１２１を含む。Ｘ方向側の第２吸着面１２２は、Ｘ方向側の第１吸着面１２１のＸ方向側の端に連続しており、且つＹ方向およびＸ方向の成分を含む第１斜め方向に延びている。Ｘ’方向側の第２吸着面１２２は、Ｘ’方向側の第１吸着面１２１のＸ’方向側の端に連続しており、且つＹ方向およびＸ’方向の成分を含む第２斜め方向に延びている。
【００２１】
２）第１吸着面１２１および第２吸着面１２２の双方は、上記１）同様に一対である。Ｘ方向側の第２吸着面１２２は、Ｘ方向側の第１吸着面１２１のＸ方向側に間隙を有して配置されており、且つＹ方向およびＸ方向の成分を含む第１斜め方向に延びている。Ｘ’方向側の第２吸着面１２２は、Ｘ’方向側の第１吸着面１２１のＸ’方向側に間隙を有して配置されており、且つＹ方向およびＸ’方向の成分を含む第２斜め方向に延びている。
【００２２】
３）第１吸着面１２１が一つであるのに対して、第２吸着面１２２を一対である。Ｘ方向側の第２吸着面１２２は、第１吸着面１２１のＸ方向側の端に連続しており、Ｙ方向およびＸ方向の成分を含む第１斜め方向に延びており、Ｘ’方向側の第２吸着面１２２は、前記第１吸着面１２１のＸ’方向側の端に連続しており、Ｙ方向およびＸ’方向の成分を含む第２斜め方向に延びた構成とすることが可能である。
【００２３】
４）第１吸着面１２１が一つであるのに対して、第２吸着面１２２を一対である。Ｘ方向側の第２吸着面１２２は、第１吸着面１２１のＸ方向側に間隙を有して配置されており、且つＹ方向およびＸ方向の成分を含む第１斜め方向に延びており、Ｘ’方向側の第２吸着面１２２は、前記第１吸着面１２１のＸ’方向側に間隙を有して配置されており、且つＹ方向およびＸ’方向の成分を含む第２斜め方向に延びた構成とすることが可能である。
【００２４】
第２吸着面１２２の第１吸着面１２１に対する傾斜角は、任意であるが、例えば、４５°や６０°などとすることが可能である。すなわち、第２吸着面１２２の第１吸着面１２１に対する傾斜角は適宜変更できる。また、第１吸着面１２１および／または第２吸着面１２２の面積は、任意に設定できる。
【００２５】
照明装置Ｉは少なくとも一つの第１磁石２１０をさらに備えている。上記１）および２）の場合、第１磁石２１０は一対であり、上記３）および４）の場合、第１磁石２１０は一つである。この少なくとも一つの第１磁石２１０は、筐体本体１２０内の少なくとも一つの第１吸着面１２１の内側に配置された構成としても良い（図４および図５参照）。この場合、少なくとも一つの第１磁石２１０の磁力によって、少なくとも一つの第１吸着面１２１が磁性体に吸着可能になる。または、少なくとも一つの第１磁石２１０が筐体本体１２０のＹ’方向側の面の少なくとも一部をなすように筐体本体１２０に設けられていても良い。この場合、少なくとも一つの第１磁石２１０のＹ’方向側の面が第１吸着面１２１として機能する。すなわち、少なくとも一つの第１磁石２１０が第１吸着面１２１を有している。
【００２６】
少なくとも一つの第１磁石２１０の磁力は、少なくとも一つの第１吸着面１２１が磁性体に吸着した状態で、照明装置Ｉを磁性体に支持させることができる程度の磁力を有している。
【００２７】
照明装置Ｉは一対の第２磁石２２０をさらに備えている。一対の第２磁石２２０は、Ｘ方向側の第２磁石２２０およびＸ’方向側の第２磁石２２０を含む。第２磁石２２０は、図４および図５に示されるように、筐体本体１２０内の第２吸着面１２２の内側に各々配置された構成としても良い。この場合、第２磁石２２０の磁力によって、第２吸着面１２２が磁性体に吸着可能になる。または、Ｘ方向側の第２磁石２２０が筐体１００の筐体本体１２０の第１傾斜面の少なくとも一部をなすように筐体本体１２０に設けられ、Ｘ’方向側の第２磁石２２０が筐体１００の筐体本体１２０の第２傾斜面の少なくとも一部をなすように筐体本体１２０に設けられていても良い。この場合、Ｘ方向側の第２磁石２２０の第１傾斜面がＸ方向側の第２吸着面１２２として機能し、Ｘ’方向側の第２磁石２２０の第２傾斜面がＸ’方向側の第２吸着面１２２として機能する。すなわち、第２磁石２２０が第２吸着面１２２を有している。
【００２８】
第２磁石２２０の磁力は、第１磁石２１０の磁力とほぼ同じまたは第１磁石２１０の磁力よりも小さくすることが可能であるが、これに限定されるものではない。
【００２９】
上記１）の場合、上記した何れかの態様の第１磁石２１０および第２磁石２２０は一つずつ一体化し、一つの磁石２００とすることが可能である（図４〜図５参照）が、これに限定されるものではなく、別体であっても良い。上記３）の場合、上記した何れかの態様の一つの第１磁石２１０および一対の第２磁石２２０は一体化し、一つの磁石２００とすることが可能であるが、これに限定されるものではなく、別体であっても良い。
【００３０】
上記した構成の照明装置Ｉは、第１吸着面１２１または第２吸着面１２２を磁性体（壁など）に吸着させて使用することができる。照明装置Ｉは、第１吸着面１２１を磁性体に吸着させた場合と第２吸着面１２２を磁性体に吸着させた場合とで透光部１１０の向きを変えることができる。また、テントシートの外側に磁性体を配置し、この磁性体にテントシートを介して照明装置Ｉの第１吸着面１２１または第２吸着面１２２を吸着させることによって、照明装置Ｉをテント内に中空で取り付けることができる。
【００３１】
以下、上記した照明装置Ｉを複数組み合わせる手順について詳しく説明する。照明装置Ｉを二つ用意する。図９に示されるように、二つの照明装置Ｉ（第１照明装置および第２照明装置）の第１吸着面１２１同士を吸着させることができる。これにより、二つの照明装置Ｉが組み合わせられ、ユニット化される（照明ユニットとなる）。
【００３２】
または、照明装置Ｉを二つ用意する。照明装置Ｉ（第１照明装置および第２照明装置）の第２吸着面１２２同士を吸着させることができる。これによって、二つの照明装置Ｉが平面視において略Ｌ字状または略Ｖ字状に組み合わせられ、ユニット化される（照明ユニットとなる）。
【００３３】
または、照明装置Ｉを三つ用意する。中央の照明装置Ｉの一方の第２吸着面１２２とその一方側の照明装置Ｉの第２吸着面１２２と吸着させ、且つ中央の照明装置Ｉの他方の第２吸着面１２２とその他方側の照明装置Ｉの第２吸着面１２２と吸着させることができる。これによって、二つの照明装置Ｉが略Ｕ字状に組み合わせられ、ユニット化される（照明ユニットとなる）。
【００３４】
また、照明装置Ｉを四つ用意する。図９に示されるように、四つの照明装置Ｉを環状に配置し、隣り合う照明装置Ｉの第２吸着面１２２同士を吸着させることができる。これによって、四つの照明装置Ｉが組み合わせられ、ユニット化される（照明ユニットとなる）。この場合、第２吸着面１２２の第１吸着面１２１に対する傾斜角は４５°である。なお、四つ以上の照明装置Ｉを環状に配置して組み合わせることも可能である。この場合、第２吸着面１２２の第１吸着面１２１に対する傾斜角は、照明装置Ｉの数に応じて適宜設定されると良い。
【００３５】
以上のとおり、照明装置Ｉは、第１吸着面１２１または第２吸着面１２２を磁性体（壁）に吸着させて使用することができる他、テントシートを挟んで第１吸着面１２１または第２吸着面１２２を磁性体に吸着させすることができる。しかも、複数の照明装置Ｉを第１吸着面１２１同士、第２吸着面１２２同士または第１吸着面１２１と第２吸着面１２２とを吸着させることで様々に組み合わせてユニット化することができる。
【００３６】
なお、上記した照明装置は、上記実施例に限定されるものではなく、特許請求の範囲の記載範囲において任意に設計変更することが可能である。以下、詳しく述べる。
【００３７】
本発明の筐体本体の外面は、少なくとも一つの第１吸着面と、少なくとも一つの第２吸着面とを有していれば良い。
【００３８】
本発明の少なくとも一つの第２吸着面は、少なくとも一つの第１吸着面に対して傾斜していれば良い。例えば、少なくとも一つの第２吸着面は、Ｙ方向およびＸ方向の成分を含む第１斜め方向、Ｙ方向およびＸ’方向の成分を含む第２斜め方向、Ｙ’方向およびＸ方向の成分を含む第３斜め方向、またはＹ’方向およびＸ’方向の成分を含む第３斜め方向に傾斜していても良い。また、少なくとも一つの第２吸着面は、少なくとも一つの第１吸着面のＸ方向の端またはＸ’方向の端から延びていても良いが、両者が間隙を有して配置されていても良い。
【００３９】
本発明の第１、第２磁石は、少なくとも一つずつあればよい。
【００４０】
なお、上記実施例の各態様および設計変形例における照明装置の各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。なお、本発明の第１方向は、本発明の第１吸着面が延びる一方向である限り任意に設定可能である。本発明の第２方向は、本発明の第１吸着面が延びる別の一方向である限り任意に設定可能である。本発明の第３方向は、第１方向および第２方向に交差している限り任意に設定できる。
【符号の説明】
【００４１】
Ｉ：照明装置
１００：筐体
１１０：透光部
１２０：筐体本体
１２１：第１吸着面
１２２：第２吸着面
２００：磁石
２１０：第１磁石
２２０：第２磁石
【図１】
2019046568.tif 000003
【図２】
2019046568.tif 000004
【図３】
2019046568.tif 000005
【図４】
2019046568.tif 000006
【図５】
2019046568.tif 000007
【図６】
2019046568.tif 000008
【図７】
2019046568.tif 000009
【図８】
2019046568.tif 000010
【図９】
2019046568.tif 000011